(57)【要約】【課題】組立・解体の作業性がよく、クロスバーが下方に撓まないように組立可能な構造の球技用ゴールを提案する。【解決手段】ゴール入口を形成するクロスバー１０と左右一対のゴールポスト２０とがクロスバー継材３０を介して連結された球技用ゴールであって、各ゴールポスト２０は、その上端部から内側側方に延出するクロスバー連結軸２２を備え、クロスバー１０及びクロスバー連結軸２２は断面略中空円筒形状であって、各中空部内にクロスバー継材３０が挿入され、クロスバー１０及びクロスバー連結軸２２とクロスバー継材３０とが後方から螺入されたボルトで連結されており、クロスバー１０及びクロスバー連結軸２２の内周面並びにクロスバー継材３０の外周面に、クロスバー継材３０の軸まわりの回転を規制する回転規制部が形成されている。【選択図】      図３
2004321591.tif 000002
【特許請求の範囲】
【請求項１】
ゴール入口を形成するクロスバーと左右一対のゴールポストとがクロスバー継材を介して連結された球技用ゴールであって、
前記各ゴールポストは、その上端部から内側側方に延出するクロスバー連結軸を備え、
前記クロスバー及び前記クロスバー連結軸は断面略中空円筒形状であって、各中空部内に前記クロスバー継材が挿入され、前記クロスバー及び前記クロスバー連結軸と前記クロスバー継材とが後方から螺入されたボルトで連結されており、
前記クロスバー及び前記クロスバー連結軸の内周面並びにクロスバー継材の外周面に、前記クロスバー継材の軸まわりの回転を規制する回転規制部が形成されている、
ことを特徴とする球技用ゴール。
【請求項２】
前記クロスバー継材は断面略中空円筒形状であって、その中空部内には前記ボルトが螺入される棒ナットがその軸を前後方向に向けて配設され、
前記棒ナットは、その前端面が前記クロスバー継材の内周前面に固定されるとともに、その後端面が前記クロスバー及び前記クロスバー連結軸の内周後面に臨んで隙間をあけて対向している、
ことを特徴とする請求項１に記載の球技用ゴール。
【請求項３】
前記クロスバー継材の断面上下部並びに前記クロスバー及び前記クロスバー連結軸の断面上下部がそれぞれ他の部分よりも肉厚に形成されている、
ことを特徴とする請求項２に記載の球技用ゴール。
【請求項４】
前記クロスバー及び前記クロスバー連結軸の外周後側に沿ってネットフック用のレール溝が形成され、該レール溝に前記ボルトの頭部が収容されている、
ことを特徴とする請求項１乃至請求項３のいずれか一項に記載の球技用ゴール。
【請求項５】
ゴール入口を形成するクロスバーと左右一対のゴールポストとがコーナー継手を介して連結された球技用ゴールであって、
前記各コーナー継手は、それぞれ内側側方、下方に延出するクロスバー連結軸、ゴールポスト連結軸を備え、
前記クロスバーは断面略中空円筒形状であって、その中空部内に前記クロスバー連結軸が挿入され、両者が後方から螺入されたボルトで連結されており、
前記ゴールポストは断面略中空円筒形状であって、その中空部内に前記ゴールポスト連結軸が挿入され、両者が後方から螺入されたボルトで連結されており、
前記クロスバーの内周面及び前記クロスバー連結軸の外周面に、前記クロスバーの軸まわりの回転を規制する回転規制部が形成され、
前記ゴールポストの内周面及び前記ゴールポスト連結軸の外周面に、前記ゴールポストの軸まわりの回転を規制する回転規制部が形成されている、
ことを特徴とする球技用ゴール。
【請求項６】
前記クロスバー連結軸及び前記ゴールポスト連結軸は断面略中空円筒形状であって、それぞれの中空部内には前記ボルトが螺入される棒ナットがその軸を前後方向に向けて配設され、
前記棒ナットは、その前端面が前記クロスバー連結軸又は前記ゴールポスト連結軸の内周前面に固定されるとともに、その後端面が前記クロスバーの内周後面又は前記ゴールポストの内周後面に臨んで隙間をあけて対向している、
ことを特徴とする請求項５に記載の球技用ゴール。
【請求項７】
前記クロスバーの断面上下部及び前記クロスバー連結軸の断面上下部がそれぞれ他の部分よりも肉厚に形成されているとともに、
前記ゴールポストの断面左右部及び前記ゴールポスト連結軸の断面左右部がそれぞれ他の部分よりも肉厚に形成されている、
ことを特徴とする請求項６に記載の球技用ゴール。
【請求項８】
前記クロスバー及び前記ゴールポストの外周後側に沿ってネットフック用のレール溝が形成され、該レール溝に前記ボルトの頭部が収容されている、
ことを特徴とする請求項５乃至請求項７のいずれか一項に記載の球技用ゴール。
【発明の詳細な説明】
【０００１】
【発明の属する技術分野】
本発明は、組立・解体の作業性のよい球技用ゴールに関する。
【０００２】
【従来の技術】
サッカーやハンドボール等の球技で使用される従来の球技用ゴールとして、図１６に示すように、ゴール入口を形成するクロスバー２１０とゴールポスト２２０とがコーナー継手２３０を介して連結されたものがある（特許文献１参照）。同図において符号２４０，Ｎはそれぞれ支持枠、ネットを示している。
【０００３】
図１７に示すようにコーナー継手２３０は、コーナー継手本体２３１からそれぞれ内側側方、下方、後方に延出する円筒状のクロスバー連結軸２３２、ゴールポスト連結軸２３３、支持枠連結軸２３４を備えている。クロスバー連結軸２３２には、長軸のボルトＢ’を上下方向に連通させるためのボルト連通孔２３２ａ，２３２ｂが穿設されている（図１８参照）。
また、クロスバー２１０は中空円筒形状をなし、その中空部内にコーナー継手２３０のクロスバー連結軸２３２が挿入される。クロスバー２１０の断面上下部には、肉厚の補強部２１１，２１２が内向きに形成されている。
【０００４】
図１８に示すように、クロスバー２１０の補強部２１１，２１２にはそれぞれ段差状のボルト挿入孔２１１ａ、ナット挿入孔２１２ａが形成されている。そして、クロスバー２１０とコーナー継手２３０とは、コーナー継手２３０のクロスバー連結軸２３２をクロスバー２１０の中空部内に挿入し、長軸のボルトＢ’をボルト挿入孔２１１ａ、ボルト連通孔２３２ａ，２３２ｂ、ナット挿入孔２１２ａに挿通して、ナット挿入孔２１２ａに挿入したナットＮをボルトＢ’に螺合することにより連結される。
【０００５】
【特許文献１】
特開２００２−１２６１４５（［０００８］−［００１２］，図１−９）
【０００６】
【発明が解決しようとする課題】
しかしながら、かかる従来の球技用ゴールには、次のような問題がある。
（１）コーナー継手２３０のクロスバー連結軸２３２をクロスバー２１０の中空部内に挿入した状態では、クロスバー連結軸２３２のボルト挿通孔２３２ａ，２３２ｂは外側から見えないため、ボルト挿入孔２１１ａ、ボルト挿通孔２３２ａ，２３２ｂ、ナット挿入孔２１２ａが一直線状となるようにクロスバー２１０を回転調整して、これらにボルトＢ’を挿通する作業が極めて難しい。また、ナット挿入孔２１２ａに挿入したナットＮをボルトＢ’に螺合するときに、ナットＮが回転しないように押さえ付けながらボルトＢ’をまわす必要があるので、作業性が極めて悪い。
なお、コーナー継手２３０のゴールポスト連結軸２３３とゴールポスト２２０との連結についても全く同様の問題がある。
【０００７】
（２）クロスバー２１０の補強部２１１，２１２とクロスバー連結軸２３２との間のクリアランス（隙間）を大きくすると、クロスバー２１０の中空部内でクロスバー連結軸２３２ががたつき、組み立てたときにクロスバー２１０が下方に撓んだ状態となってしまう。したがって、これを避けるために、クロスバー２１０の補強部２１１，２１２とクロスバー連結軸２３２との間のクリアランスを小さくしなければならないが、そうすると、クロスバー２１０の中空部内にクロスバー連結軸２３２を挿入することが難しく組立・解体の作業性が格段に悪くなってしまい、さらには製造精度によってクロスバー２１０の中空部内にクロスバー連結軸２３２を挿入することができなくなってしまうこともある。
なお、コーナー継手２３０のゴールポスト連結軸２３３とゴールポスト２２０との連結についても同様の問題がある。
【０００８】
（３）図１８に示すように、ゴールポスト２２０とコーナー継手２３０のゴールポスト連結軸２３３との連結も、クロスバー２１０とコーナー継手２３０のクロスバー連結軸２３２との連結と全く同様にして行われるが、ゴールポスト２２０は鉛直向きであるため、連結作業中にゴールポスト２２０が下方にずれたり落ちやすく、作業性が悪い。
【０００９】
本発明はかかる事情に鑑みてなされたものであり、組立・解体の作業性がよく、しかもクロスバーが下方に撓まないように組立可能な構造の球技用ゴールを提案するものである。
【００１０】
【課題を解決するための手段】
すなわち、本発明の請求項１に係る球技用ゴールは、ゴール入口を形成するクロスバーと左右一対のゴールポストとがクロスバー継材を介して連結された球技用ゴールであって、前記各ゴールポストは、その上端部から内側側方に延出するクロスバー連結軸を備え、前記クロスバー及び前記クロスバー連結軸は断面略中空円筒形状であって、各中空部内に前記クロスバー継材が挿入され、前記クロスバー及び前記クロスバー連結軸と前記クロスバー継材とが後方から螺入されたボルトで連結されており、前記クロスバー及び前記クロスバー連結軸の内周面並びにクロスバー継材の外周面に、前記クロスバー継材の軸まわりの回転を規制する回転規制部が形成されている、ことを特徴とする。
【００１１】
かかる球技用ゴールでは、クロスバー及びクロスバー連結軸の中空部内にクロスバー継材が挿入され、後方からボルトが螺入されることにより、クロスバーとゴールポストがクロスバー継材を介して連結されているが、クロスバー及びクロスバー連結軸の内周面並びにクロスバー継材の外周面に回転規制部が形成されているので、クロスバー継材がクロスバー及びクロスバー連結軸の中空部内で軸まわりに回転しない。したがって、クロスバー継材をクロスバー及びクロスバー連結軸の中空部内に挿入したときにボルトを挿入する孔が外側から見えなくても、クロスバー継材の挿入長さを調節するだけでボルト挿入のための位置決めを正確に行うことができ、組立時の作業性がよい。
【００１２】
また、クロスバー及びクロスバー連結軸とクロスバー継材とを連通するように一方向（後方）からボルトを螺入するだけでこれらが互いに固定されるので、従来のようにナットを回転しないように押さえ付けながらボルトをまわす必要がなく、組立・解体の作業が簡単である。
さらに、クロスバー、クロスバー連結軸、クロスバー継材はいずれも水平であるため、これらを互いに連結するときに各部材がずれたり落下するおそれがなく、組立・解体の作業性がよい。
なお、ボルトは後方から挿入され、組立後にボルトがゴール入口に露出しないので、見映えがよく、競技中の安全性も高い。
また、クロスバー継材をクロスバー又はクロスバー連結軸のいずれか一方に予め連結した状態で現場に搬入するようにすれば、現場ではクロスバー継材をクロスバー継材又はクロスバーのいずれか一方だけに連結すれば済むので、現場工程を簡略化することができる。
【００１３】
本発明の請求項２に係る球技用ゴールは、請求項１に記載の球技用ゴールにおいて、前記クロスバー継材は断面略中空円筒形状であって、その中空部内には前記ボルトが螺入される棒ナットがその軸を前後方向に向けて配設され、前記棒ナットは、その前端面が前記クロスバー継材の内周前面に固定されるとともに、その後端面が前記クロスバー及び前記クロスバー連結軸の内周後面に臨んで隙間をあけて対向している、ことを特徴とする。
【００１４】
かかる球技用ゴールでは、棒ナットの前端面がクロスバー継材の内周前面に固定されているとともに、棒ナットの後端面がクロスバー及びクロスバー連結軸の内周後面に臨んで隙間をあけて対向しているので、クロスバー及びクロスバー連結軸の後方からボルトを螺入して締め込んでいくと、前記隙間が小さくなっていき、その結果、断面略中空円筒形状のクロスバー継材が断面前後方向に縮んでいくとともに断面上下方向に伸びていき、最終的にはクロスバー継材の断面上下部とクロスバー及びクロスバー連結軸の断面上下部とが接触して互いに押圧され、クロスバー継材がクロスバー及びクロスバー連結軸の中空部内でがたつかなくなる。したがって、クロスバー継材をクロスバー及びクロスバー連結軸の中空部内に挿入しやすくするためにクロスバー継材の外周面とクロスバー及びクロスバー連結軸の内周面とのクリアランスを大きくしても、クロスバー継材がクロスバー及びクロスバー連結軸の中空部内でがたつくことを確実に防止でき、組立後にクロスバーが下方に撓まないようにすることができる。
【００１５】
本発明の請求項３に係る球技用ゴールは、請求項２に記載の球技用ゴールにおいて、前記クロスバー継材の断面上下部並びに前記クロスバー及び前記クロスバー連結軸の断面上下部がそれぞれ他の部分よりも肉厚に形成されている、ことを特徴とする。
【００１６】
かかる球技用ゴールでは、クロスバー継材の断面上下部並びにクロスバー及びクロスバー連結軸の断面上下部がそれぞれ他の部分よりも肉厚に形成されているので、クロスバー継材の断面上下部がクロスバー及びクロスバー連結軸の断面上下部に押圧されたときに、クロスバー、クロスバー連結軸、クロスバー継材が破断することを確実に防止して、球技用ゴール全体の組立強度を高めることができる。
【００１７】
本発明の請求項４に係る球技用ゴールは、請求項１乃至請求項３のいずれか一項に記載の球技用ゴールにおいて、前記クロスバー及び前記クロスバー連結軸の外周後側に沿ってネットフック用のレール溝が形成され、該レール溝に前記ボルトの頭部が収容されている、ことを特徴とする。
【００１８】
かかる球技用ゴールでは、ネットフック用のレール溝がクロスバー及びクロスバー連結軸の外周後側に形成され、ゴール入口に露出していないので見映えがよい。また、このレール溝にボルトの頭部が収容されているので、プレイヤーがボルトの頭部に接触して怪我をする危険を少なくすることができ、見映えもよい。
【００１９】
また、本発明の請求項５に係る球技用ゴールは、ゴール入口を形成するクロスバーと左右一対のゴールポストとがコーナー継手を介して連結された球技用ゴールであって、前記各コーナー継手は、それぞれ内側側方、下方に延出するクロスバー連結軸、ゴールポスト連結軸を備え、前記クロスバーは断面略中空円筒形状であって、その中空部内に前記クロスバー連結軸が挿入され、両者が後方から螺入されたボルトで連結されており、前記ゴールポストは断面略中空円筒形状であって、その中空部内に前記ゴールポスト連結軸が挿入され、両者が後方から螺入されたボルトで連結されており、前記クロスバーの内周面及び前記クロスバー連結軸の外周面に、前記クロスバーの軸まわりの回転を規制する回転規制部が形成され、前記ゴールポストの内周面及び前記ゴールポスト連結軸の外周面に、前記ゴールポストの軸まわりの回転を規制する回転規制部が形成されている、ことを特徴とする。
【００２０】
かかる球技用ゴールでは、クロスバー及びゴールポストの中空部内にそれぞれコーナー継手のクロスバー連結軸、ゴールポスト連結軸が挿入され、後方からボルトが螺入されることにより、クロスバーとゴールポストがコーナー継手を介して連結されているが、クロスバーの内周面及びクロスバー連結軸の外周面に回転規制部が形成され、ゴールポストの内周面及びゴールポスト連結軸の外周面に回転規制部が形成されているので、クロスバー及びゴールポストが軸まわりに回転しない。したがって、クロスバー連結軸及びゴールポスト連結軸をそれぞれクロスバー及びゴールポストの中空部内に挿入したときにボルトを挿入する孔が外側から見えなくても、ボルト挿入のための位置決めを正確に行うことができ、組立時の作業性がよい。
【００２１】
また、クロスバーとクロスバー連結軸とを連通するように、ゴールポストとゴールポスト連結軸とを連通するように一方向（後方）からボルトを螺入するだけでこれらが互いに固定されるので、従来のようにナットを回転しないように押さえ付けながらボルトをまわす必要がなく、組立・解体の作業が簡単である。
さらに、クロスバー、クロスバー連結軸はいずれも水平であるため、これらを互いに連結するときに各部材がずれたり落下するおそれがなく、組立・解体の作業性がよい。
なお、ボルトは後方から挿入され、組立後にボルトがゴール入口に露出しないので、見映えがよく、競技中の安全性も高い。
【００２２】
本発明の請求項６に係る球技用ゴールは、請求項５に記載の球技用ゴールにおいて、前記クロスバー連結軸及び前記ゴールポスト連結軸は断面略中空円筒形状であって、それぞれの中空部内には前記ボルトが螺入される棒ナットがその軸を前後方向に向けて配設され、前記棒ナットは、その前端面が前記クロスバー連結軸又は前記ゴールポスト連結軸の内周前面に固定されるとともに、その後端面が前記クロスバーの内周後面又は前記ゴールポストの内周後面に臨んで隙間をあけて対向している、ことを特徴とする。
【００２３】
かかる球技用ゴールでは、棒ナットの前端面がクロスバー連結軸又はゴールポスト連結軸の内周前面に固定されているとともに、棒ナットの後端面がクロスバー又はゴールポストの内周後面に臨んで隙間をあけて対向しているので、クロスバーやゴールポストの後方からボルトを螺入して締め込んでいくと、前記隙間が小さくなっていき、その結果、断面略中空円筒形状のクロスバー連結軸及びゴールポスト連結軸が断面前後方向に縮んでいくとともにそれぞれ断面上下方向又は断面左右方向に伸びていき、最終的にはクロスバー連結軸の断面上下部とクロスバーの断面上下部とが接触して互いに押圧され、クロスバー連結軸がクロスバーの中空部内でがたつかなくなるとともに、ゴールポスト連結軸の断面左右部とゴールポストの断面左右部とが接触して互いに押圧され、ゴールポスト連結軸がゴールポストの中空部内でがたつかなくなる。したがって、クロスバー連結軸をクロスバーの中空部内に挿入しやすくするためにクロスバー連結軸の外周面とクロスバーの内周面とのクリアランスを大きくしても、クロスバー連結軸がクロスバーの中空部内でがたつくことを確実に防止でき、組立後にクロスバーが下方に撓まないようにすることができる。同様に、ゴールポスト連結軸をゴールポストの中空部内に挿入しやすくするためにゴールポスト連結軸の外周面とゴールポストの内周面とのクリアランスを大きくしても、ゴールポスト連結軸がゴールポストの中空部内でがたつくことを確実に防止できる。
【００２４】
本発明の請求項７に係る球技用ゴールは、請求項６に記載の球技用ゴールにおいて、前記クロスバーの断面上下部及び前記クロスバー連結軸の断面上下部がそれぞれ他の部分よりも肉厚に形成されているとともに、前記ゴールポストの断面左右部及び前記ゴールポスト連結軸の断面左右部がそれぞれ他の部分よりも肉厚に形成されている、ことを特徴とする。
【００２５】
かかる球技用ゴールでは、クロスバーの断面上下部及びクロスバー連結軸の断面上下部がそれぞれ他の部分よりも肉厚に形成されているとともに、ゴールポストの断面左右部及びゴールポスト連結軸の断面左右部がそれぞれ他の部分よりも肉厚に形成されているので、クロスバー連結軸の断面上下部がクロスバーの断面上下部に押圧されたときに、クロスバーやクロスバー連結軸が破断することを確実に防止できるとともに、ゴールポスト連結軸の断面左右部がゴールポストの断面左右部に押圧されたときに、ゴールポストやゴールポスト連結軸が破断することを確実に防止でき、球技用ゴール全体の組立強度を高めることができる。
【００２６】
本発明の請求項８に係る球技用ゴールは、請求項５乃至請求項７のいずれか一項に記載の球技用ゴールにおいて、前記クロスバー及び前記ゴールポストの外周後側に沿ってネットフック用のレール溝が形成され、該レール溝に前記ボルトの頭部が収容されている、ことを特徴とする。
【００２７】
かかる球技用ゴールでは、ネットフック用のレール溝がクロスバー及びゴールポストの外周後側に形成され、ゴール入口に露出していないので見映えがよい。また、このレール溝にボルトの頭部が収容されているので、プレイヤーがボルトの頭部に接触して怪我をする危険を少なくすることができ、見映えもよい。
【００２８】
【発明の実施の形態】
以下、添付図面を参照しつつ、本発明の実施の形態を詳細に説明する。なお、説明において、同一要素には同一の符号を用い、重複する説明は省略するものとする。
【００２９】
＜第一実施形態＞
図１は本発明に係る球技用ゴールの第一実施形態を表す全体斜視図であり、図２は同球技用ゴールの骨組の分解斜視図である。これらの図に示すように、球技用ゴール１は、クロスバー１０、ゴールポスト２０、クロスバー継材３０、上部サイドフレーム４０、下部サイドフレーム５０、後部フレーム６０、後部フレーム継材７０、後部コーナー継手８０で形成された骨組にネットＮを被せて構成してある。
ゴール入口の左上隅部を後方から見た状態を分解して表した図３に示すように、水平なクロスバー１０と、鉛直なゴールポスト２０とは、クロスバー継材３０を介して連結されている。
【００３０】
クロスバー１０は、図４（ａ）にも示すように、断面略中空円筒形状に形成されたアルミニウム又はアルミニウム合金の押出形材からなる。クロスバー１０の長さ、外径、肉厚はたとえば５４００ｍｍ、１２０ｍｍ、３ｍｍに設定され、上下対称断面形となっている。クロスバー１０の内周前上側面には一対の第一凸条１１ａ，１２ａが全長にわたって形成されており、内周前下側面には第一凸条１１ａ，１２ａと上下対称に一対の第二凸条１１ｂ，１２ｂが全長にわたって形成されている。またクロスバー１０の外周後面には、ネットフック９０（図５（ｂ）参照）が係合するレール溝１３が全長にわたって形成されている。レール溝１３の底壁には、長さ方向に所定間隔をあけてボルト挿入孔１４，１４，…が穿設されている。さらに、クロスバー１０の断面上下部は全長にわたってそれぞれ他の断面部分よりも肉厚の肉厚部１５ａ，１５ｂとして形成されている。肉厚部１５ａ，１５ｂの内周面は水平面を形成している。
【００３１】
ゴールポスト２０は、鉛直なゴールポスト本体２１と、ゴールポスト本体２１の上端部から内側側方に（クロスバー１０に向かって）延出するクロスバー連結軸２２と、ゴールポスト本体２１の上端部から後方に（上部サイドフレーム４０に向かって）延出する上部サイドフレーム連結軸２３と、ゴールポスト本体２１の下端部から後方に（下部サイドフレーム５０に向かって）延出する下部サイドフレーム連結軸２４（図２参照）とを備えている。
【００３２】
ゴールポスト本体２１は、図４（ａ）にも示すように、クロスバー１０と同一断面に形成されたアルミニウム又はアルミニウム合金の押出形材であり、長さはたとえば２５００ｍｍである。ゴールポスト本体２１は、レール溝１３が後側に、肉厚部１５ａ，１５ｂが左右に向くように配置されている。ゴールポスト本体２１のレール溝１３の上端部には、ネットフック９０を挿入するための切欠部２７が形成されている。
クロスバー連結軸２２は、図４（ａ）にも示すように、クロスバー１０と同一断面に形成されたアルミニウム又はアルミニウム合金の押出形材であり、長さはたとえば１０２０ｍｍである。クロスバー連結軸２２が比較的長くなっているのは、クロスバー１０を短くすることにより、クロスバー１０を運搬しやすくするとともに、組立状態でクロスバー１０が下方に撓みにくくなるようにするためである。クロスバー連結軸２２は、ゴールポスト本体２１の上端部に溶接等により固定されている。
【００３３】
上部サイドフレーム連結軸２３、下部サイドフレーム連結軸２４は、いずれも断面円筒形状のアルミニウム又はアルミニウム合金の押出形材であって、その長さ、外径はたとえば３００ｍｍ、６１ｍｍである。上部サイドフレーム連結軸２３、下部サイドフレーム連結軸２４は、それぞれゴールポスト本体２１の上端部、下端部に溶接等により固定されている。
そして、クロスバー連結軸２２と上部サイドフレーム連結軸２３とが交差するコーナー部には補強リブ２５が溶接固定され、同様にゴールポスト本体２１と下部サイドフレーム連結軸２４とが交差するコーナー部には補強リブ２６（図２参照）が溶接固定されている。
【００３４】
クロスバー継材３０は、図４（ｂ）にも示すように、断面が上下にやや長い略中空円筒形状に形成されたアルミニウム又はアルミニウム合金の押出形材からなる。クロスバー継材３０の長さはたとえば３６０ｍｍである。またクロスバー継材３０の断面外形の上下高さ、前後長さはたとえば１０７ｍｍ、９３ｍｍに設定されており、クロスバー１０及びクロスバー連結軸２２の中空部内に比較的容易に挿入できるようにやや小さめとなっている。
クロスバー継材３０は上下対称断面形であり、その外周前側面には上下一対で第一凸条３１、第二凸条３２がそれぞれ全長にわたって形成されている。そして、クロスバー継材３０がクロスバー１０又はクロスバー連結軸２２の中空部内に挿入された状態（図６参照）で、クロスバー継材３０の第一凸条３１はクロスバー１０又はクロスバー連結軸２２の一対の第一凸条１１ａ，１２ａ間に位置し、クロスバー継材３０の第二凸条３２はクロスバー１０又はクロスバー連結軸２２の一対の第二凸条１１ｂ，１２ｂ間に位置する。つまり、クロスバー継材３０の第一凸条３１とクロスバー１０又はクロスバー連結軸２２の一対の第一凸条１１ａ，１２ａとが、クロスバー１０又はクロスバー連結軸２２の中空部内におけるクロスバー継材３０の軸まわりの回転を規制する第一の回転規制部として機能し、クロスバー継材３０の第二凸条３２とクロスバー１０又はクロスバー連結軸２２の第二凸条１１ｂ，１２ｂとが、クロスバー１０又はクロスバー連結軸２２の中空部内におけるクロスバー継材３０の軸まわりの回転を規制する第二の回転規制部として機能する。
【００３５】
また、クロスバー継材３０の外周後側面には上下一対の第三凸条３３ａ，３３ｂが全長にわたって形成されており、クロスバー継材３０がクロスバー１０又はクロスバー連結軸２２の中空部内に挿入された状態（図６参照）で、クロスバー継材３０の第三凸条３３ａ，３３ｂでクロスバー１０及びクロスバー連結軸２２のレール溝１３を内側において上下から挟み込むことになる。つまり、クロスバー継材３０の第三凸条３３ａ，３３ｂとクロスバー１０又はクロスバー連結軸２２のレール溝１３は、クロスバー１０又はクロスバー連結軸２２の中空部内におけるクロスバー継材３０の軸まわりの回転を規制する第三の回転規制部として機能する。上下の第三凸条３３ａ，３３ｂの間の後壁には、所定位置に棒ナット３８（図５（ａ）参照）を挿通させる棒ナット挿通孔３４，３４，…が穿設されている。
【００３６】
また、クロスバー継材３０の内周前面には、上下一対の第四凸条３５ａ，３５ｂが全長にわたって形成されている。これらの第四凸条３５ａ，３５ｂは、棒ナット３８の軸まわりの回転を規制する役割を果たすものである。そして、上下の第四凸条３５ａ，３５ｂの間の前壁には、棒ナット挿通孔３４，３４，…と対向する位置にボルト挿入孔３６，３６，…が穿設されている。
さらに、クロスバー継材３０の断面上下部は全長にわたってそれぞれ他の断面部分よりも肉厚の肉厚部３７ａ，３７ｂとして形成されている。肉厚部３７ａ，３７ｂの外周面は水平面を形成している。
【００３７】
棒ナット３８は、図５（ａ）に示すように全体として略円柱形状であり、その前後端面からそれぞれタップが立てられ、内周面に雌ネジが形成されたネジ孔３８ａ，３８ｂが形成されている。棒ナット３８は、図６にも示すように、軸方向を前後に向けてクロスバー継材３０の中空部内に配置される。棒ナット３８の前端面の上下部には、所定の高さ及び奥行で水平に切削された切欠部３８ｃ，３８ｄが形成されており、棒ナット３８がクロスバー継材３０の中空部内に配置されたときにちょうど切欠部３８ｃ，３８ｄにクロスバー継材３０の第四凸条３５ａ，３５ｂが係合して、棒ナット３８がその軸まわりに回転しないようになっている。また、棒ナット３８がクロスバー継材３０の中空部内に配置された状態で、棒ナット３８の前端面はクロスバー継材３０の前壁内周面に当接し、棒ナット３８の後端面は、クロスバー１０及びクロスバー連結軸２２のレール溝１３の底壁の内周面との間に２ｍｍ程度の隙間（クリアランス）をあけた格好となる。
【００３８】
ネットフック９０は、ネットＮの周囲のロープを係止し、クロスバー１０やゴールポスト２０のレール溝１３に係合される合成樹脂製の部材である。図５（ｂ）に示すように、ネットフック９０は、ネットフック本体９１と、ネットフック本体９１の前面側に形成された断面略コ字形のスライド部９２と、ネットフック本体９１の後面側に形成された下向きフック９３及び上向きフック９４とで形成されている。
【００３９】
その他、上部サイドフレーム４０、下部サイドフレーム５０、後部フレーム６０、後部フレーム継材７０はいずれも断面中空円筒形状に形成されたアルミニウム又はアルミニウム合金の押出形材からなる。ただし、上部サイドフレーム４０は曲げ加工が施された曲線材であり、下部サイドフレーム５０及び後部フレーム６０は長尺の直線材、後部フレーム継材７０は短尺の直線材である。また、後部コーナー継手８０はアルミニウム又はアルミニウム合金の鋳物である。これらはボルトやナット等の適宜の手段で組み立てられる。
【００４０】
続いて、球技用ゴール１の骨組のうち、特にクロスバー１０とゴールポスト２０を組み立てる手順について、説明する。
【００４１】
まず、図８に示すように、棒ナット挿通孔３４からクロスバー継材３０の中空部内に棒ナット３８を挿入する。このとき棒ナット３８の切欠部３８ｃ，３８ｄにそれぞれクロスバー継材３０の第四凸条３５ａ，３５ｂが係合するとともに、棒ナット３８の前端面はクロスバー継材３０の内周前面に当接し、棒ナット３８のネジ孔３８ａはクロスバー継材３０のボルト挿入孔３６に一致する。なお、クロスバー継材３０の内周前後長さに比べて棒ナット３８が短い場合には、棒ナット３８をクロスバー継材３０の端部開口から中空部内にスライド挿入してもよいが、その場合には棒ナット３８のネジ孔３８ａをクロスバー継材３０のボルト挿入孔３６に位置合わせする手間がかかるので、棒ナット挿通孔３４から棒ナット３８を挿入するほうが簡単である。そして、クロスバー継材３０の前方からボルト挿入孔３６を介して棒ナット３８のネジ孔３８ａにボルトＢ１を螺入し、締め込んで固定する。この状態で、棒ナット３８の後端面はクロスバー継材３０の棒ナット挿通孔３４内でやや引っ込んだ状態である。
【００４２】
次に、図９に示すように、クロスバー継材３０を軸方向にスライドさせてその長さの半分をクロスバー連結軸２２の中空部内に挿入する。このとき、クロスバー継材３０の外周面とクロスバー連結軸２２の内周面との間には充分なクリアランスがあるので（図６参照）、クロスバー連結軸２２の中空部内にクロスバー継材３０を容易に挿入することができる。また、第一の回転規制部（クロスバー継材３０の第一凸条３１とクロスバー連結軸２２の一対の第一凸条１１ａ，１２ａ）、第二の回転規制部（クロスバー継材３０の第二凸条３２とクロスバー連結軸２２の第二凸条１１ｂ，１２ｂ）、第三の回転規制部（クロスバー継材３０の第三凸条３３ａ，３３ｂとクロスバー連結軸２２のレール溝１３）によりクロスバー連結軸２２の中空部内におけるクロスバー継材３０の軸まわりの回転が規制されるので、クロスバー連結軸２２の中空部内へのクロスバー継材３０の挿入長さを調節するだけで、クロスバー連結軸２２のボルト挿入孔１４と棒ナット３８のネジ孔３８ｂとの位置合わせをすることができる。
また、クロスバー連結軸２２のレール溝１３にネットフック９０のスライド部９２をスライド挿入する。
【００４３】
次に、図１０に示すように、後方からクロスバー連結軸２２のボルト挿入孔１４を通じて棒ナット３８のネジ孔３８ｂにボルトＢ２を螺入する（図６参照）。そして、更にボルトＢ２を締め込んでいくと、図７に示すように、棒ナット３８の後端面とクロスバー連結軸２２のレール溝１３の底壁内周面との間のクリアランスが小さくなっていき、その結果、クロスバー継材３０の前後長さが小さく、かつ、上下長さが大きくなっていく。そして最終的に、クロスバー継材３０の肉厚部３７ａ，３７ｂがそれぞれクロスバー連結軸２２の肉厚部１５ａ，１５ｂに押圧されるとともに、クロスバー継材３０の第一凸条３１、第二凸条３２がそれぞれクロスバー連結軸２２の第一凸条１１ａ、第二凸条１１ｂに押圧されるので、クロスバー継材３０がクロスバー連結軸２２の中空部内でがたつかなくなる。特に本実施形態では、クロスバー連結軸２２の肉厚部１５ａ，１５ｂの内周面とクロスバー継材３０の肉厚部３７ａ，３７ｂの外周面がともに水平面となっているので、両者が確実に面接触し、がたつき防止の効果がより大きい。そして、この状態で工場から出荷されることになる。
【００４４】
続いて現場では、まず図１１に示すように、クロスバー１０を軸方向にスライドさせて、クロスバー１０の中空部内にクロスバー継材３０の長さの残り半分（クロスバー連結軸２２の中空部内に挿入されていない部分）を挿入する。ここでもクロスバー継材３０をクロスバー連結軸２２の中空部内に挿入するときと同様、クロスバー継材３０の外周面とクロスバー１０の内周面との間には充分なクリアランスがあるので、クロスバー１０の中空部内にクロスバー継材３０を容易に挿入することができる。また、第一の回転規制部（クロスバー継材３０の第一凸条３１とクロスバー１０の一対の第一凸条１１ａ，１２ａ）、第二の回転規制部（クロスバー継材３０の第二凸条３２とクロスバー１０の第二凸条１１ｂ，１２ｂ）、第三の回転規制部（クロスバー継材３０の第三凸条３３ａ，３３ｂとクロスバー１０のレール溝１３）によりクロスバー１０の中空部内におけるクロスバー継材３０の軸まわりの回転が規制されるので、クロスバー１０の中空部内へのクロスバー継材３０の挿入長さを調節するだけで、つまり、クロスバー１０の端面がクロスバー連結軸２２の端面に当接するまでクロスバー１０の中空部内にクロスバー継材３０を挿入するだけで、クロスバー１０のボルト挿入孔１４と棒ナット３８のネジ孔３８ｂとの位置合わせをすることができる。
また、図示省略するが、クロスバー１０のレール溝１３にネットフック９０のスライド部９２をスライド挿入する。
【００４５】
最後に図１２に示すように、後方からクロスバー１０のボルト挿入孔１４を通じて棒ナット３８のネジ孔３８ｂにボルトＢ２を螺入する（図６参照）。そして、更にボルトＢ２を締め込んで、図７に示すように、クロスバー継材３０がクロスバー１０の中空部内でがたつかないように固定する。
【００４６】
以上のように、クロスバー継材３０をクロスバー連結軸２２に予め工場で固定しておくことにより、現場ではクロスバー継材３０をクロスバー１０の中空部内にスライド挿入し、たった二本のボルトＢ２，Ｂ２を一方向（後方）から螺入するだけで、クロスバー１０とゴールポスト２０とを連結することができる。また、充分なクリアランスが確保されているので、クロスバー継材３０をクロスバー１０及びクロスバー連結軸２２の中空部内に容易に挿入できるとともに、棒ナット３８のネジ孔３８ｂへのボルトＢ２の螺入・締め込みにより、クロスバー１０及びクロスバー連結軸２２の中空部内でクロスバー継材３０ががたつかないように強固に連結することができ、クロスバー１０が下方に撓まないように球技用ゴール１を組み立てることができる。
【００４７】
また、回転規制部により、クロスバー１０及びクロスバー連結軸２２のボルト挿入孔１４と棒ナット３８のネジ孔３８ｂとの位置決めの際に、クロスバー継材３０の周方向の位置決めをする必要がない。さらに、クロスバー継材３０の第四凸条３５ａ，３５ｂと棒ナット３８の切欠部３８ｃ，３８ｄとの係合により、クロスバー継材３０の中空部内に棒ナット３８を正確かつ容易に位置決めできるとともに、ボルトＢ１の螺入時に棒ナット３８が回転しない。
【００４８】
なお、ここではクロスバー継材３０をまずクロスバー連結軸２２に連結して、その後にクロスバー１０に連結したが、この手順を逆にしてもよい。また、クロスバー１０、ゴールポスト２０、クロスバー継材３０以外の部材（上部サイドフレーム４０、下部サイドフレーム５０、後部フレーム６０、後部フレーム継材７０、後部コーナー継手８０）の組立手順は任意に定めうる。ゴールポスト本体２１のレール溝１３に切欠部２７からネットフック９０を挿入するタイミングも任意に定めうる。
【００４９】
＜第二実施形態＞
図１３は本発明に係る球技用ゴールの第二実施形態を表す全体斜視図であり、図１４は同球技用ゴールの骨組の分解斜視図である。これらの図に示すように、球技用ゴール２の骨組は、いずれも直線状のクロスバー１００、ゴールポスト１１０、上部サイドフレーム１２０、下部サイドフレーム１３０、後部サイドフレーム１４０、後部フレーム１５０をコーナー継手１６０，１７０，１８０，１９０で連結したものとなっている。
ゴール入口の左上隅部を後方から見た状態を分解して表した図１５に示すように、水平なクロスバー１００と、鉛直なゴールポスト１１０とは、コーナー継手１６０を介して連結されている。
【００５０】
同図に示すように、コーナー継手１６０はアルミニウム又はアルミニウム合金の鋳物であり、コーナー継手本体１６１からそれぞれ内側側方、下方、後方へ延出する断面略円筒形状のクロスバー連結軸１６２、ゴールポスト連結軸１６３、上部サイドフレーム連結軸１６４を備える。クロスバー連結軸１６２はクロスバー１００の中空部内に挿入され、ゴールポスト連結軸１６３はゴールポスト１１０の中空部内に挿入される。
クロスバー１００、ゴールポスト１１０はそれぞれ、第一実施形態のクロスバー１０、ゴールポスト本体２１と同一の断面形状である。また、コーナー継手１６０のクロスバー連結軸１６２、ゴールポスト連結軸１６３はいずれも、第一実施形態のクロスバー継材３０と同一の断面形状である。
【００５１】
したがって、第一実施形態と同様に、コーナー継手１６０のクロスバー連結軸１６２、ゴールポスト連結軸１６３の中空部内に棒ナット３８をセットして前方から螺入したボルトＢ１で固定した後、クロスバー連結軸１６２、ゴールポスト連結軸１６３をそれぞれクロスバー１００、ゴールポスト１１０の中空部内に挿入し、後方からボルトＢ２を螺入して締め込むことにより、クロスバー１００、ゴールポスト１１０をコーナー継手１６０にしっかり連結することができる。
【００５２】
つまり、本実施形態においても、クロスバー連結軸１６２、ゴールポスト連結軸１６３をクロスバー１００、ゴールポスト１１０の中空部内に挿入するときに、充分なクリアランスが確保されているので挿入が容易であるとともに、ボルトＢ２の螺入・締め込みにより、クロスバー１００、ゴールポスト１１０の中空部内でクロスバー連結軸１６２、ゴールポスト連結軸１６３ががたつかないように強固に連結することができ、クロスバー１００が下方に撓まないように球技用ゴール２を組み立てることができる。
【００５３】
また、回転規制部により、クロスバー１００、ゴールポスト１１０の中空部内にクロスバー連結軸１６２、ゴールポスト連結軸１６３を挿入した後にクロスバー１００、ゴールポスト１１０の周方向の位置決めをする必要がなく、組立作業が簡単である。さらに、クロスバー連結軸１６２、ゴールポスト連結軸１６３の中空部内に棒ナット３８を正確かつ容易に位置決めできるとともに、ボルトＢ１の螺入時に棒ナット３８が回転しない。
【００５４】
なお、これら以外の部材（上部サイドフレーム１２０、下部サイドフレーム１３０、後部サイドフレーム１４０、後部フレーム１５０、コーナー継手１７０，１８０，１９０）についても、同様な連結態様とすることも可能である。
【００５５】
＜補足説明＞
以上、本発明の実施形態を説明したが、本発明はこれらに限定されるものではなく、発明の趣旨に応じた適宜の変更実施が可能であることは言うまでもない。たとえば、上記実施形態では回転規制部として第一〜第三の回転規制部が形成されているが、これらをいずれか一つ又は二つとしてもよく、またそれぞれの回転規制部の構成も、その機能を発揮するものであることを条件として、その位置や形状等は任意に定めうる。
【００５６】
【発明の効果】
以上のように、本発明に係る球技用ゴールは、回転規制部により各部材の軸まわりの相対的な回転が規制されているので、組立時の位置決めを簡単かつ正確に行うことができる。また、一方向からボルトを螺入するだけで組み立てることができるので、組立・解体の作業性がよい。
さらに、一方の部材の中空部内に他方の部材を挿入するときに、充分なクリアランスを確保して容易に挿入可能にしても、挿入後のボルト締結により両部材をがたつきなく強固に連結することができる。
【図面の簡単な説明】
【図１】本発明に係る球技用ゴールの第一実施形態を表す全体斜視図である。
【図２】同球技用ゴールの骨組の分解斜視図である。
【図３】同球技用ゴールの要部分解斜視図である。
【図４】（ａ）はクロスバー及びクロスバー連結軸の断面図、（ｂ）はクロスバー継材の断面図である。
【図５】（ａ）は棒ナットの斜視図、（ｂ）はネットフックの斜視図である。
【図６】クロスバー又はクロスバー連結軸の中空部内にクロスバー継材を挿入した状態の断面図である。
【図７】その後、後方からボルトを螺入して締め込んだ状態の断面図である。
【図８】クロスバーとクロスバー連結軸とを連結する最初の工程を表す斜視図である。
【図９】図８に続く工程を表す斜視図である。
【図１０】図９に続く工程を表す斜視図である。
【図１１】図１０に続く工程を表す斜視図である。
【図１２】図１１に続く工程を表す斜視図である。
【図１３】本発明に係る球技用ゴールの第二実施形態を表す全体斜視図である。
【図１４】同球技用ゴールの骨組の分解斜視図である。
【図１５】同球技用ゴールの要部分解斜視図である。
【図１６】特許文献１に開示された従来の球技用ゴールの全体斜視図である。
【図１７】同球技用ゴールの要部分解斜視図である。
【図１８】同球技用ゴールの要部断面図である。
【符号の説明】
１    …  球技用ゴール
１０    …  クロスバー
１１ａ，１２ａ    …  第一凸条
１１ｂ，１２ｂ    …  第二凸条
１３    …  レール溝
１４    …  ボルト挿入孔
１５ａ，１５ｂ    …  肉厚部
２０    …  ゴールポスト
２１    …  ゴールポスト本体
２２    …  クロスバー連結軸
２３    …  上部サイドフレーム連結軸
２４    …  下部サイドフレーム連結軸
２５，２６    …  補強リブ
２７    …  切欠部
３０    …  クロスバー継材
３１    …  第一凸条
３２    …  第二凸条
３３ａ，３３ｂ    …  第三凸条
３４    …  棒ナット挿通孔
３５ａ，３５ｂ    …  第四凸条
３６    …  ボルト挿入孔
３７ａ，３７ｂ    …  肉厚部
３８    …  棒ナット
３８ａ，３８ｂ    …  ネジ孔
３８ｃ，３８ｄ    …  切欠部
４０    …  上部サイドフレーム
５０    …  下部サイドフレーム
６０    …  後部フレーム
７０    …  後部フレーム継材
８０    …  後部コーナー継手
９０    …  ネットフック
９１    …  ネットフック本体
９２    …  スライド部
９３    …  下向きフック
９４    …  上向きフック
Ｎ      …  ネット
【図１】
2004321591.tif 000003
【図２】
2004321591.tif 000004
【図３】
2004321591.tif 000005
【図４】
2004321591.tif 000006
【図５】
2004321591.tif 000007
【図６】
2004321591.tif 000008
【図７】
2004321591.tif 000009
【図８】
2004321591.tif 000010
【図９】
2004321591.tif 000011
【図１０】
2004321591.tif 000012
【図１１】
2004321591.tif 000013
【図１２】
2004321591.tif 000014
【図１３】
2004321591.tif 000015
【図１４】
2004321591.tif 000016
【図１５】
2004321591.tif 000017
【図１６】
2004321591.tif 000018
【図１７】
2004321591.tif 000019
【図１８】
2004321591.tif 000020